【手続補正書】
【提出日】平成19年4月5日(2007.4.5)
【手続補正１】
【補正対象書類名】特許請求の範囲
【補正対象項目名】全文
【補正方法】変更
【補正の内容】
【特許請求の範囲】
【請求項１】
通信サービスを実現するべく動作可能な通信機器用の装置であって、該通信機器は、上位論理レイヤ、下位論理レイヤ、及びこれらの間に位置する中間レイヤを含む論理レイヤを具備している、前記装置において、
前記通信機器の前記中間レイヤに実現されたサービス品質レベルセレクタであって、前記通信サービスが実現される選択されたサービス品質レベルを選択するサービス品質レベルセレクタ、
を備える装置。
【請求項２】
前記サービス品質レベルセレクタによって選択される前記サービス品質レベルは、前記通信サービスが実現される通信速度を有する請求項１記載の装置。
【請求項３】
前記中間レイヤは、メディアアクセス制御レイヤからなり、前記サービス品質レベルセレクタは、前記ＭＡＣレイヤに実現される請求項１記載の装置。
【請求項４】
前記通信機器の前記中間レイヤに実現されたサービス品質指示メッセージ生成器を更に備え、該サービス品質指示メッセージ生成器は、前記通信サービスが実現される選択されたサービス品質レベルを示すサービス品質指示メッセージを生成し、該サービス品質指示メッセージは、中間レイヤメッセージを形成している請求項１記載の装置。
【請求項５】
前記中間レイヤは、メディアアクセス制御レイヤからなり、前記サービス品質指示メッセージ生成器によって生成される前記サービス品質指示メッセージは、メディアアクセス制御レイヤメッセージからなる請求項４記載の装置。
【請求項６】
前記通信サービスは、ＣＤＭＡ２０００パケット通信サービスからなり、前記サービス品質指示メッセージは、前記ＣＤＭＡ２０００パケット通信サービスが実現される前記サービス品質レベルを示す請求項４記載の装置。
【請求項７】
前記ＣＤＭＡ２０００パケット通信サービスは、１ｘＥＶ−ＤＶ通信サービスを有し、前記サービス品質指示メッセージ生成器によって生成される前記サービス品質指示メッセージは、前記１ｘＥＶ−ＤＶのＣＤＭＡ２０００パケット通信サービスが実現される前記サービス品質レベルを示す請求項６記載の装置。
【請求項８】
前記ＣＤＭＡ２０００パケット通信サービスは、１ｘＥＶ−ＤＯ通信サービスからなり、前記サービス品質指示メッセージ生成器によって生成される前記サービス品質指示メッセージは、前記１ｘＥＶ−ＤＯのＣＤＭＡ２０００パケット通信サービスが実現される前記サービス品質レベルを示す請求項３記載の装置。
【請求項９】
前記通信サービスは、第１通信サービスインスタンスと第２通信サービスインスタンスとからなり、前記サービス品質指示メッセージ生成器は、前記第１通信サービスインスタンスが実現される第１の選択されたサービス品質レベルを識別するための第１サービス品質指示メッセージと、前記第２通信サービスインスタンスが実現される第２の選択されたサービス品質レベルを識別するための第２サービス品質指示メッセージを生成する請求項４記載の装置。
【請求項１０】
前記通信機器は、逆方向リンクチャネルを規定するパケット無線通信システムの移動局を備え、前記逆方向品質指示メッセージは、前記逆方向リンクチャネル上において前記逆方向通信が実現される前記サービス品質レベルを示す請求項４記載の装置。
【請求項１１】
前記通信サービスが実現される前記サービス品質レベルを示す前記サービス品質情報メッセージは、前記パケット無線通信システムが分散型スケジューリング構造から構成されている場合には第１情報を含んでいる請求項１０記載の装置。
【請求項１２】
前記第１情報は、前記通信サービスを識別する識別子と送信パワーの指示とからなる請求項１１記載の装置。
【請求項１３】
前記通信サービスを識別する前記識別子は、トラフィッククラス指示からなる請求項１２記載の装置。
【請求項１４】
前記通信サービスが実現される前記サービス品質レベルを示す前記サービス品質情報メッセージは、前記パケット無線通信システムが中央集中型スケジューリングアーキテクチャから構成されている場合には第２情報を含んでいる請求項１０記載の装置。
【請求項１５】
前記第２情報は、前記通信サービスを識別する識別子とバッファの指示からなる請求項１４記載の装置。
【請求項１６】
前記通信サービスを識別する前記識別子は、サービス参照識別子からなる請求項１５記載の装置。
【請求項１７】
前記パケット無線通信システムは、順方向リンクチャネルを更に規定しており、前記装置は、前記移動局に実現される検出器を更に有し、該検出器は、前記パケット無線通信システムを構成しているスケジューリングアーキテクチャのタイプに関する、前記順方向リンク上において前記移動局に対して伝達される指示を検出する請求項１０記載の装置。
【請求項１８】
前記サービス品質指示メッセージ生成器によって生成される前記サービス品質指示メッセージは、前記検出器によって検出される前記指示に部分的に応じたレベル値から構成されている請求項１７記載の装置。
【請求項１９】
パケット通信サービスが動作可能なパケット無線通信システムのネットワーク機器用の装置であって、
前記ネットワーク機器に実現され、前記通信サービスが実現される選択されたサービス品質レベルを示すサービス品質指示メッセージの前記ネットワーク機器における供給を検出するサービス品質指示メッセージ検出器であって、前記サービス品質指示メッセージは、中間レイヤメッセージを形成している、サービス品質指示メッセージ検出器、
を備える装置。
【請求項２０】
通信機器による通信サービスの実現を円滑に実行する方法であって、
前記通信サービスが実現される選択されたサービス品質レベルを示すサービス品質指示メッセージを前記通信機器の中間レイヤにおいて生成する段階であって、前記サービス品質指示メッセージは、中間レイヤメッセージを形成している、段階と、
前記サービス品質指示メッセージ内に示されている前記選択された通信品質レベルにおける前記通信サービスのスケジューリングを可能にするために、前記生成段階の期間において、生成された前記サービス品質指示メッセージを送信する段階と、
を有する方法。
【請求項２１】
前記通信機器は、無線通信システム内において動作可能であり、前記検出段階の前に、前記無線通信システム内のスケジューリングアーキテクチャの指示を検出する段階を更に有する請求項２０記載の方法。
【請求項２２】
前記生成段階の期間において生成される前記サービス品質指示メッセージ内に含まれる情報は、前記検出段階の期間において実行された検出の内容に部分的に応じたレベル値
から構成されている請求項２１記載の方法。
【請求項２３】
ネットワーク部分を具備する無線通信システム内における通信サービスの実現を円滑に実行する方法であって、
前記通信サービスが実現される選択されたサービス品質レベルを通知するサービス品質指示メッセージの供給を前記ネットワーク部分において検出する段階と、
前記選択されたサービス品質レベルにおける前記通信サービスの実現を可能にするために通信リソースを選択的に割り当てる段階と、
を有する方法。
【請求項２４】
装置であって、
通信サービスの少なくとも１つのデータフローが逆方向チャネル上で前記装置によって実現されるべき少なくとも１つのサービス品質レベルを選択するためのセレクタであって、前記少なくとも１つのサービス品質レベルは前記装置によって動作可能な少なくとも１つの上位レイヤのアプリケーションに基づいて選択され、前記少なくとも１つの上位レイヤのアプリケーションは少なくとも１つのデータフローそれぞれに関連付けられる、セレクタと、
少なくとも１つのサービス品質指示メッセージを生成する生成器であって、前記サービス品質指示メッセージは前記データフローのそれぞれが実現されるべき前記の選択されたサービス品質レベルを示し、前記少なくとも１つのサービス品質指示メッセージは送信電力指示を含む、生成器と、
を備える装置。
【請求項２５】
前記サービス品質指示メッセージはメディアアクセス制御レイヤを介して送信される請求項２４記載の装置。
【請求項２６】
前記通信サービスは、ＣＤＭＡ２０００パケット通信サービスからなり、前記サービス品質指示メッセージは、前記ＣＤＭＡ２０００パケット通信サービスが実現される前記サービス品質レベルを示す請求項２４記載の装置。
【請求項２７】
前記ＣＤＭＡ２０００パケット通信サービスは、１ｘＥＶ−ＤＶ通信サービスを有し、前記生成器によって生成される前記サービス品質指示メッセージは、前記１ｘＥＶ−ＤＶのＣＤＭＡ２０００パケット通信サービスが実現される前記サービス品質レベルを示す請求項２６記載の装置。
【請求項２８】
前記ＣＤＭＡ２０００パケット通信サービスは、１ｘＥＶ−ＤＯ通信サービスからなり、前記生成器によって生成される前記サービス品質指示メッセージは、前記１ｘＥＶ−ＤＯのＣＤＭＡ２０００パケット通信サービスが実現される前記サービス品質レベルを示す請求項２６記載の装置。
【請求項２９】
前記装置は、逆方向リンクチャネルを規定するパケット無線通信システムの移動局を備え、逆方向の前記サービス品質指示メッセージは、前記逆方向リンクチャネル上において前記通信サービスが実現される前記サービス品質レベルを示す請求項２４記載の装置。
【請求項３０】
前記通信サービスが実現される前記サービス品質レベルを示す前記サービス品質指示メッセージは、前記パケット無線通信システムが分散型スケジューリング構造から構成されている場合には第１情報を含んでいる請求項２９記載の装置。
【請求項３１】
前記第１情報は、前記通信サービスを識別する識別子と送信電力指示とからなる請求項３０記載の装置。
【請求項３２】
前記通信サービスを識別する前記識別子は、トラフィッククラス指示からなる請求項３１記載の装置。
【請求項３３】
前記通信サービスが実現される前記サービス品質レベルを示す前記サービス品質情報メッセージは、前記パケット無線通信システムが中央集中型スケジューリングアーキテクチャから構成されている場合には第２情報を含んでいる請求項２９記載の装置。
【請求項３４】
前記第２情報は、前記通信サービスを識別する識別子とバッファの指示からなる請求項３３記載の装置。
【請求項３５】
前記通信サービスを識別する前記識別子は、サービス参照識別子からなる請求項３４記載の装置。
【請求項３６】
前記パケット無線通信システムは、順方向リンクチャネルを更に規定しており、前記装置は、前記移動局に実現される検出器を更に有し、該検出器は、前記パケット無線通信システムを構成しているスケジューリングアーキテクチャのタイプに関する、前記順方向リンク上において前記移動局に対して伝達される指示を検出する請求項２９記載の装置。
【請求項３７】
前記サービス品質指示メッセージは、前記検出器によって検出された前記指示に部分的に応じたレベル値から構成されている請求項３６記載の装置。
【請求項３８】
前記通信サービスは、第１通信データフローと第２通信データフローとからなり、前記サービス品質指示メッセージ生成器は、前記第１通信サービスインスタンスが実現される第１の選択されたサービス品質レベルを識別するための第１サービス品質指示メッセージと、前記第２通信サービスインスタンスが実現される第２の選択されたサービス品質レベルを識別するための第２サービス品質指示メッセージを生成する請求項２４記載の装置。
【請求項３９】
ネットワーク装置で実現される検出器を備える装置であって、該検出器は、通信サービスの少なくとも１つのデータフローが逆方向リンクチャネル上で実現されるべく選択されたサービス品質レベルを示す少なくとも１つのサービス品質指示メッセージの前記ネットワーク機器における供給を検出するようになっており、該少なくとも１つのサービス品質レベルは少なくとも１つの上位レイヤのアプリケーションに基づいて選択されており、該少なくとも１つの上位レイヤのアプリケーションは少なくとも１つのデータフローそれぞれに関連付けられ、前記サービス品質指示メッセージは、ＭＡＣレイヤメッセージを形成し且つ送信電力指示を含んでいる、装置。
【請求項４０】
前記通信サービスは、ＣＤＭＡ２０００パケット通信サービスからなり、前記サービス品質指示メッセージは、前記ＣＤＭＡ２０００パケット通信サービスが実現される前記サービス品質レベルを示す請求項３９記載の装置。
【請求項４１】
通信サービスの少なくとも１つのデータフローが逆方向チャネル上で実現されるべき少なくとも１つのサービス品質レベルを選択する段階であって、前記少なくとも１つのサービス品質レベルは装置によって動作可能な少なくとも１つの上位レイヤのアプリケーションに基づいて選択され、前記少なくとも１つの上位レイヤのアプリケーションは少なくとも１つのデータフローそれぞれに関連付けられる、段階と、
少なくとも１つのサービス品質指示メッセージを生成する段階であって、前記サービス品質指示メッセージは前記データフローのそれぞれが実現されるべき前記の選択されたサービス品質レベルを示し、前記少なくとも１つのサービス品質指示メッセージは送信電力指示を含む、段階と、
を有する方法。
【請求項４２】
前記通信サービスは、無線通信システム内において動作可能であり、前記選択段階の前に、前記無線通信システム内のスケジューリングアーキテクチャの指示を検出する段階を更に有する請求項４１記載の方法。
【請求項４３】
前記サービス品質指示メッセージ内に含まれる情報は、前記検出段階の期間において実行された検出の内容に部分的に応じたレベル値を含む請求項４２記載の方法。